(57)【要約】      （修正有）【課題】染毛剤の塗布対象部位が広い場合及び狭い場合のいずれであっても、該染毛剤を容易にかつ時間を掛けずに塗布することが可能な染毛剤塗布具を提供する。【解決手段】ブラシ台部２０の第２辺部２２には、ブラシ毛２５からなる毛束が、該第２辺部２２の延びる方向に沿って植設されて毛束列からなるブラシ部２６が形成されている。ブラシ部２６は、後端部位５１と、後端部位５１に隣接し、かつ後端部位５１よりも塗布具の先端側に位置する先端部位とを有する。後端部位５１は、第２辺部２２の延びる方向に沿ってブラシ毛２５の高さが一定になっている。先端部位５２は、ブラシ毛２５の先端を連ねて形成される仮想線Ｌ１が直線となるように、塗布具の先端に向かうに連れてブラシ毛２５の高さが漸次低くなっている。【選択図】図２
0003189069.tif 000002
【実用新案登録請求の範囲】
【請求項１】
第１辺部及びこれと反対側に位置する第２辺部を有する略板状のブラシ台部と、ブラシ台部から延出する把持部を有し、
第１辺部には、該第１辺部の延びる方向に沿って複数の櫛歯が立設されて櫛歯列からなる櫛部が形成されており、
第２辺部には、複数のブラシ毛からなる複数の毛束が、該第２辺部の延びる方向に沿って植設されて毛束列からなるブラシ部が形成されている染毛剤塗布具であって、
ブラシ部は、後端部位と、後端部位に隣接し、かつ後端部位よりも前記塗布具の先端側に位置する先端部位とを有し、
後端部位は、第２辺部の延びる方向に沿ってブラシ毛の高さが一定になっており、
先端部位は、ブラシ毛の先端を仮想的に連ねて形成される仮想線が直線となるように、前記塗布具の先端に向かうに連れてブラシ毛の高さが漸次低くなっており、
前記仮想線を延長した直線と、前記塗布具の長手方向とのなす角度θ１が２０度以上６０度以下となるように、先端部位におけるブラシ毛の高さを調整した、染毛剤塗布具。
【請求項２】
前記仮想線の長さが１０ｍｍ以上２５ｍｍ以下となるように、先端部位におけるブラシ毛の高さを調整した請求項１に記載の染毛剤塗布具。
【請求項３】
ブラシ台部の第２辺部を、該第２辺部の延長線と、前記塗布具の長手方向とのなす角度θ２が５度以上３０度以下となるように傾斜させて形成した請求項１又は２に記載の染毛剤塗布具。
【請求項４】
前記角度θ１とブラシ台部の第２辺部の延長線と前記塗布具の長手方向とのなす角度θ２は、（θ１−θ２）／θ１の計算式から算出される値が０．２５〜０．９１である請求項１ないし３のいずれか一項に記載の染毛剤塗布具。
【請求項５】
前記角度θ１が、ブラシ台部の第２辺部の延長線と前記塗布具の長手方向とのなす角度θ２の１．５倍以上８倍以下である請求項１ないし４のいずれか一項に記載の染毛剤塗布具。
【請求項６】
櫛歯列の延びる方向に沿う櫛部の長さＬ２３と、毛束列の延びる方向に沿うブラシ部の長さＬ２５との比率であるＬ２３／Ｌ２５の値を１以上３以下にした請求項１ないし５のいずれか一項に記載の染毛剤塗布具。
【請求項７】
ブラシ台部の第１辺部を、前記塗布具の長手方向と平行になるように形成した請求項１ないし６のいずれか一項に記載の染毛剤塗布具。
【請求項８】
ブラシ部が後端部位及び先端部位のみからなる請求項１ないし７のいずれか一項に記載の染毛剤塗布具。
【請求項９】
ブラシ毛の高さが一定の後端部位が位置するブラシ台部の第２辺部の延びる方向の長さＬ５１と、先端部位の長さＬ５２の比率であるＬ５１／Ｌ５２が、１以上２．５以下である請求項１ないし８のいずれか一項に記載の染毛剤塗布具。
【請求項１０】
把持部は、把持部第１辺部に、凹凸形状の第１滑り止め部を有する請求項１ないし９のいずれか一項に記載の染毛剤塗布具。
【請求項１１】
把持部は、把持部第１辺部の後端側の位置に、櫛歯の突出方向と同方向に向けて山なりに突出した第２滑り止め部を有する請求項１ないし１０のいずれか一項に記載の染毛剤塗布具。
【請求項１２】
櫛部における櫛歯の高さが１０ｍｍ以上３０ｍｍ以下である請求項１ないし１１のいずれか一項に記載の染毛剤塗布具。
【請求項１３】
櫛部における櫛歯の横断面を真円換算したときの直径が、最大直径部において１ｍｍ以上３ｍｍである請求項１ないし１２のいずれか一項に記載の染毛剤塗布具。
【請求項１４】
ブラシ毛の曲げ弾性率が８ＭＰａ以上１３ＭＰａ以下である請求項１ないし１３のいずれか一項に記載の染毛剤塗布具。
【請求項１５】
ブラシ毛をポリアミドから形成した請求項１ないし１４にいずれか一項に記載の染毛剤塗布具。
【請求項１６】
把持部の後端から更に後方に延出した略棒状のスライス部を有する請求項１ないし１５のいずれか一項に記載の染毛剤塗布具。
【請求項１７】
ブラシ台部における第２辺部側の位置であって、かつブラシ台部と把持部との間の位置に、ブラシ台部の第１辺部側へ向けて湾曲したくびれ部を有する請求項１ないし１６のいずれか一項に記載の染毛剤塗布具。
【考案の詳細な説明】
【技術分野】
【０００１】
本考案は染毛剤を毛髪に塗布するための塗布具に関する。
【背景技術】
【０００２】
染毛剤塗布具としては、例えば複数の櫛歯からなる櫛部と、複数のブラシ毛からなるブラシ部とを有するものが知られている（例えば特許文献１及び２参照）。これらの染毛剤塗布具は、染毛剤をブラシ部に付着させて毛髪に塗布した後、櫛部によって均一に延ばして毛髪全体に行き渡らせるように用いられる。
更に、特許文献２及び３には、それぞれ、毛染め用ブラシの柄部と対向する側にもみあげ等を梳く短ブリッスルや、毛染め用具の柄部の基端に生え際や部分染め用の小櫛を有しているものが記載されている。
【０００３】
また、特許文献４及び５には、ブラシ部のうち、塗布具の先端寄りに位置する部分、及び後端寄りに位置する部分のブラシ毛の長さを、中央域に位置するブラシ毛の長さよりも短くして、いわゆる「面取り」の構造にしたものが記載されている。
【先行技術文献】
【特許文献】
【０００４】
【特許文献１】特開平１０−７１０２０号公報
【特許文献２】特開２０００−２５３９２３号公報
【特許文献３】特開２００１−２４４号公報
【特許文献４】登録実用新案第３０１３４５３号公報
【特許文献５】登録実用新案第３０２７０４２号公報
【考案の概要】
【考案が解決しようとする課題】
【０００５】
特許文献１に記載の塗布具においては、ブラシ毛の高さがブラシ部全体で同じになっているので、該ブラシ部に多量の染毛剤を盛り、一度の塗布操作で多量の染毛剤を毛髪に塗布できるという利点がある。また、特許文献２及び３に記載の塗布具は、短ブリッスルや小櫛が柄の両端に配置されているので、使用時に持ち替える必要があり、かつ持ち換えの際に手を汚すことになる。更に、特許文献４及び５に記載の塗布具においても、ブラシ部に面取り部が形成されているものの、領域はごく僅かであり、ブラシ部で広範囲で塗布する点で特許文献１ないし３に記載の技術と同様のものである。
【０００６】
ところで、各特許文献に記載の塗布具を用いて染毛剤を毛髪に塗布する際、頭頂部や側頭部等の比較的広い面積の部位を塗布対象とした場合には、染毛剤の塗布の操作に特段の支障は生じない。しかし、例えば生え際や、男性のもみあげ等の比較的狭い面積の部位を塗布対象とした場合には、ブラシ部のサイズに起因して、塗布の操作を行いづらいことがある。具体的には、ブラシ部の全体にわたるブラシ毛の毛先部分を利用して染毛剤の塗布を行おうとすると、染毛剤が塗布予定部位以外の部位に意図せず付着し易い。染毛剤の意図しない付着を防止するために、ブラシ部の一部のみ、例えばブラシ部の先端角部を用いて細かく染毛剤の塗布を行おうとすると、塗布部が狭く、また毛先がバラバラであるため染毛剤を盛る量を多くすることができず、塗布に時間を要してしまい、染め残しも起き易い。
【０００７】
したがって本考案の課題は、前述した従来技術が有する欠点を解消し得る染毛剤塗布具を提供することにある。
【課題を解決するための手段】
【０００８】
本考案は、第１辺部及びこれと反対側に位置する第２辺部を有する略板状のブラシ台部と、ブラシ台部から延出する把持部を有し、
第１辺部には、該第１辺部の延びる方向に沿って複数の櫛歯が立設されて櫛歯列からなる櫛部が形成されており、
第２辺部には、複数のブラシ毛からなる複数の毛束が、該第２辺部の延びる方向に沿って植設されて毛束列からなるブラシ部が形成されている染毛剤塗布具であって、
ブラシ部は、後端部位と、後端部位に隣接し、かつ後端部位よりも前記塗布具の先端側に位置する先端部位とを有し、
後端部位は、第２辺部の延びる方向に沿ってブラシ毛の高さが一定になっており、
先端部位は、ブラシ毛の先端を仮想的に連ねて形成される仮想線が直線となるように、前記塗布具の先端に向かうに連れてブラシ毛の高さが漸次低くなっており、
前記仮想線を延長した直線と、前記塗布具の長手方向とのなす角度θ１が２０度以上６０度以下となるように、先端部位におけるブラシ毛の高さを調整した、染毛剤塗布具を提供するものである。
【考案の効果】
【０００９】
本考案によれば、染毛剤の塗布対象部位が広い場合及び狭い場合のいずれであっても、該染毛剤を容易にかつ時間を掛けずに塗布することが可能な染毛剤塗布具が提供される。
【図面の簡単な説明】
【００１０】
【図１】図１は、本考案の染毛剤塗布具の一実施形態を示す正面図である。
【図２】図２は、図１に示す染毛剤塗布具の要部を拡大して示す正面図である。
【図３】図３は、広い塗布対象部位に、図１に示す染毛剤塗布具を用いて染毛剤を塗布する状態を示す斜視図である。
【図４】図４は、狭い塗布対象部位に、図１に示す染毛剤塗布具を用いて染毛剤を塗布する状態を示す斜視図である。
【考案を実施するための形態】
【００１１】
以下本考案を、その好ましい実施形態に基づき図面を参照しながら説明する。また、各図中、同一符号は、同一又は同等の構成要素を表している。図１には、本考案の染毛剤塗布具（以下、単に「塗布具」とも言う。）の一実施形態の正面図が示されている。同図に示す塗布具１０は、一方向Ｘに長い形状をしている。以下、方向Ｘのことを「長手方向Ｘ」とも言う。長手方向Ｘは、塗布具１０が備えるブラシ台部２０及び把持部３０がこの順で配置される方向でもある。塗布具１０においては、ブラシ台部２０と把持部３０とは、一体的に樹脂成形されて形成されていることが好ましい。
【００１２】
ブラシ台部２０は、第１辺部２１及び第２辺部２２を有する扁平な略板状体からなる。第１辺部２１及び第２辺部２２はいずれも直線状の辺となっている。第２辺部２２は、ブラシ台部２０における第１辺部２１と反対側に位置している。把持部３０は、塗布具１０の長手方向Ｘに沿ってブラシ台部２０から延出している。なお、以下の説明においては、塗布具１０の長手方向Ｘに関し、ブラシ台部２０に向かう方向を「先端側」と呼び、把持部３０に向かう方向を「後端側」と呼ぶこととする。
【００１３】
把持部３０は、ブラシ台部２０の後端側から長手方向Ｘに沿って延出する、長い略矩形状をした板状体からなる。把持部３０は、長手方向Ｘに沿って延びる把持部第１辺部３１及び把持部第２辺部３２を有している。把持部第１辺部３１及び把持部第２辺部３２はほぼ平行に延びている。すなわち、把持部は、長手方向Ｘに沿ってほぼ平行に延びる、中心線を有する。把持部第２辺部３２は、後述するくびれ部３３を介して、ブラシ台部２０の第２辺部２２と連なっている。特に、把持部第１辺部３１は、ブラシ台部２０の第１辺部２１から長手方向Ｘの延長部分となっていることが好ましい。
【００１４】
把持部３０は、塗布具１０を用いて染毛剤を毛髪に塗布するときに、該塗布部１０を手で把持するための主たる部位である。把持部３０の把持性を向上させる観点から、把持部３０は、把持部第１辺部３１に第１滑り止め部３４を有している。第１滑り止め部３４は、塗布具１０の長手方向Ｘに沿って凹部Ｄと凸部Ｐとが繰り返されてなる凹凸形状をしている。第１滑り止め部３４は、把持部３０と一体的に樹脂成形されて形成されていることが好ましい。
【００１５】
更に把持部３０は、把持部第１辺部３１の後端側の位置に、櫛歯２３の突出方向と同方向に向けて山なりに突出した第２滑り止め部３５を有している。第２滑り止め部３５は、上述した第１滑り止め部３４と連なっていることが好ましい。第２滑り止め部３５の突出の程度は、第１滑り止め部３４を構成する凸部Ｐの突出の程度よりも大きくなっている。第２滑り止め部３５の輪郭は滑らかな曲線を描いている。場合によっては、第２滑り止め部３５の輪郭を、第１滑り止め部３４と同様に凹凸形状としてもよい。第２滑り止め部３５は、把持部３０を手で把持したときに、主として手の平が当接する部位に配置されている。すなわち第２滑り止め部３５は、手の平の滑り止め用として用いられる。第２滑り止め部３５は、把持部３０と一体的に樹脂成形されて形成されていることが好ましい。なお、図１において、把持部第１辺部３１及び把持部第２辺部３２は、長手方向Ｘに沿ってほぼ平行に延びているが、手で把持しやすいように、いずれか一方、又は両方の辺部が長手方向Ｘに対して傾斜させてもよい。また、把持部３０の長手方向Ｘの長さは５０．０ｍｍ以上１５０．０ｍｍ以下であることが好ましく、幅（把持部第１辺部３１と第２辺部３２の幅）は、最大値で１０．０ｍｍ以上３０．０ｍｍ以下に形成することが好ましい。
【００１６】
ブラシ台部２０における第２辺部２２側の位置であって、かつブラシ台部２０と把持部３０との間の位置には、先に述べたくびれ部３３が形成されている。くびれ部３３は、ブラシ台部２０の第１辺部２１側へ向けて湾曲した形状を有している。くびれ部３３は、耳の周りの染毛を、塗布具１０を握っている一方の手の操作で容易に行えるようにし、他方の手で耳を伏せるように押さえることを不要とするため、塗布具１０の操作性が良好になる。また、親指の腹を当接させるように把持部３０を把持することもできる。
【００１７】
塗布具１０は、把持部の後端から更に後方に延出した略棒状のスライス部４０を有する。スライス部４０は、塗布具１０の後端側に向かうに連れて漸次細くなる形状をしている。スライス部４０は、例えば毛髪を幾つかの毛束に分けて、染毛対象部分を露出させるときに好適に用いられる。スライス部の長さは３０．０ｍｍ以上１００．０ｍｍ以下とすることが好ましい。
【００１８】
ブラシ台部２０の第１辺部２１には、該第１辺部２１から突出する複数の櫛歯２３が立設されている。櫛歯２３は、第１辺部２１と略直交する方向に延びている。また櫛歯２３は、第１辺部２１の延びる方向に沿って一列の列をなして配置されている。これによってブラシ台部２０の第１辺部２１には、複数の櫛歯２３の櫛歯列２３Ａからなる櫛部２４が形成される。
【００１９】
図１においては第１辺部２１の延びる方向に沿って隣り合う櫛歯２３の間隔はほぼ等しくなっているが、場合によっては隣り合う櫛歯２３の間隔を規則的に又は不規則に変化させてもよい。各櫛歯２３は、ブラシ台部２０と一体的に樹脂成形されて形成されていることが好ましい。
【００２０】
各櫛歯２３はその突出高さがいずれも同じになっている。先に述べたとおり、第１辺部２１は、塗布具１０の長手方向Ｘに延びるように形成されているので、各櫛歯２３の先端を仮想的に結んで形成される仮想線は、塗布具１０の長手方向Ｘと平行に延びている。なお、図示の態様は、ブラシ台部２０の第１辺部２１が塗布具１０の長手方向Ｘと平行になるように延びているが、これに代えて、塗布具１０の先端側が低くなるように（ブラシ台部２０の第２辺部側に向けて）第１辺部２１が傾斜していてもよい。
【００２１】
櫛歯２３の突出高さは、１０ｍｍ以上、特に１５ｍｍ以上であることが好ましく、３０ｍｍ以下、特に２５ｍｍ以下であることが更に好ましい。例えば櫛歯２３の突出高さは、１０ｍｍ以上３０ｍｍ以下であることが好ましく、１５ｍｍ以上２５ｍｍ以下であることが更に好ましい。櫛歯２３の突出高さをこのように設定することで、染毛剤が塗布された毛髪を首尾よく梳くことができる。また、各櫛歯２３は、それらの先端部を結ぶ仮想線が頭の外形に適合するように、それらの突出高さを調整してもよい。具体的には、仮想線が、ブラシ台部２０に向けて湾曲する曲線形状となるように、各櫛歯２３の突出高さを調節して配列させてもよい。仮想線の湾曲の程度は、例えば、曲率半径で表して１５０ｍｍ以上２５０ｍｍ以下であることが好ましい。
【００２２】
前記と同様の理由によって、櫛部２４における櫛歯２３の横断面の面積を真円換算したときの直径は、最大直径部において１ｍｍ以上、特に１．２ｍｍ以上であることが好ましく、３ｍｍ以下、特に２．５ｍｍ以下であることが好ましい。例えば櫛歯２３の横断面を真円換算したときの直径は、最大直径部において１ｍｍ以上３ｍｍ以下、特に１．２ｍｍ以上２．５ｍｍ以下であることが好ましい。
【００２３】
図１の形態では、各櫛歯２３は円柱状の形状をしており、その基部から先端部までの太さがほぼ同じになっている。場合によっては、櫛歯２３は、その基部から先端部に向かうに連れて太さが漸次減少するようになっていてもよい。更に、櫛歯２３は、横断面の形状が円形、楕円形又は扁平状であってもよく、あるいは櫛歯２３として、形状や太さが異なる２種以上の櫛歯の組み合わせを採用してもよい。
【００２４】
櫛部２４を構成する櫛歯列２３Ａにおいては、最も先端に位置する櫛歯２３は、塗布具１０のほぼ先端の位置に配されている。また、櫛歯列２３Ａにおいては、最も後端に位置する櫛歯２３は、ブラシ台部２０と把持部３０との境界部近傍の位置に配置されている。
【００２５】
ブラシ台部２０の第２辺部２２の位置には、複数のブラシ毛２５からなる毛束２５Ａが植設されている。毛束２５Ａは複数設けられている。各毛束２５Ａは、第２辺部２２の延びる方向に沿って一列の列をなして配置されている。これによって第２辺部２２には、複数の毛束２５Ａの毛束列２５Ｂからなるブラシ部２６が形成される。毛束２５Ａは、第２辺部２２と略直交する方向に延びている。ブラシ部２６を構成する毛束列２５Ｂにおいて、最も先端に位置する毛束２５Ａは、塗布具１０のほぼ先端の位置に配されている。また毛束列２５Ｂにおいて、最も後端に位置する毛束２５Ａは、第２辺部２２とくびれ部３３との境界部近傍の位置に配置されている。
【００２６】
各毛束２５Ａにおいては、該毛束２５Ａを構成するブラシ毛２５の本数は概ね等しくなっている。場合によっては、毛束２５Ａの配置位置に応じてブラシ毛２５の本数を増減してもよい。また図１においては第２辺部２２の延びる方向に沿って隣り合う毛束２５Ａの間隔はほぼ等しくなっているが、場合によっては隣り合う毛束２５Ａの間隔を規則的に又は不規則に変化させてもよい。各毛束２５Ａは、ブラシ台部２０に対して平線等の公知の植毛手段を用いて植毛することができる。
【００２７】
ブラシ部２６を構成する各ブラシ毛２５は、その曲げ弾性率が８ＭＰａ以上、特に１０ＭＰａ以上であり、また１３ＭＰａ以下、特に１１ＭＰａ以下であることが、染毛剤の塗布を一層容易にかつ均一に行える点から好ましい。例えば、ブラシ毛２５の曲げ弾性率は、８ＭＰａ以上１３ＭＰａ以下、特に１０ＭＰａ以上１１ＭＰａ以下であることが好ましい。曲げ弾性率は、ＪＩＳ  Ｋ  ７１７に従い測定することができる。
【００２８】
ブラシ毛２５の曲げ弾性率に加えてブラシ毛２５の太さも染毛剤の塗布性に関連する。具体的には、ブラシ毛２５の横断面の面積を真円換算したときの直径は、０．２ｍｍ以上であり、また０．３ｍｍ以下であることが好ましい。
【００２９】
ブラシ毛２５は、上述の曲げ弾性率や太さを有することを条件として、種々の材料から構成することが好ましい。例えば当該技術分野で用いられている各種の熱可塑性樹脂を適宜選択して用いることができる。特にポリアミドを用いてブラシ毛２５を形成すると、上述の太さの範囲内で、上述の曲げ剛性値を容易に実現できるので好ましい。
【００３０】
図示の実施形態では、ブラシ台部２０の第２辺部２２は、塗布具１０の長手方向Ｘに対して傾斜している。詳細には、ブラシ台部２０の第２辺部２２は、塗布具１０の先端側に向かうに連れて、第１辺部２１に対する距離が漸次短くなるように傾斜している。反対に、第２辺部２２は、ブラシ台部２０の後端側に向かうに連れて、第１辺部２１に対する距離が漸次長くなるように傾斜している。このように、塗布具１０の長手方向Ｘに向けてブラシ台部２０の第２辺部２２側を傾斜させることで、第１辺部２１と第２辺部２２との間の距離が、ブラシ台部２０の先端側に対し後端側が広くなり、そのことに起因して、塗布具１０に染毛剤を取った後に毛髪に塗布する際、肘を上げずに楽に塗布することができるという有利な効果が奏される。特に、ブラシ台部２０の第１辺部２１が、塗布具１０の長手方向Ｘに向けて平行に延びている状態に対して、ブラシ台部２０の第２辺部２２側を傾斜させることが好ましい。
【００３１】
図２は、図１におけるブラシ台部２０を拡大して示す正面図である。ブラシ部２６は、塗布具１０の後端側に位置する後端部位５１と、後端部位５１に隣接し、かつ後端部位５１よりも塗布具１０の先端側に位置する先端部位５２とを有している。後端部位５１は、ブラシ台部２０の第２辺部２２の延びる方向と平行にブラシ毛２５の高さが一定になっている部位である。一方、先端部位５２は、第２辺部２２の延びる方向にブラシ毛２５の高さが異なっている部位である。詳細には、先端部位５２のブラシ毛２５の先端を仮想的に連ねた直線を仮想線Ｌ１としたとき、仮想線Ｌ１は、塗布具１０の先端に向かうに連れてブラシ毛２５の高さが漸次低くなるように傾斜している。すなわち、先端部位５２のブラシ毛２５の高さは、塗布具１０の先端側が低く、後端側が高くなるよう形成されている。本実施形態においては、ブラシ部２６は、後端部位５１及び先端部位５２のみから構成されて、かつ先端部位５２の後端側の高さが後端部５１のブラシ毛の高さと略同一になるよう形成されている。
【００３２】
前記仮想線Ｌ１を延長した直線と、塗布具１０の長手方向Ｘに平行であり、把持部３０の中心を通る仮想直線ＬＣとのなす角度を角度θ１（図２参照）としたとき、θ１が２０度以上、特に４０度以上となるように先端部位５２におけるブラシ毛２５の高さを調整することが有利である。また角度θ１が６０度以下、特に５０度以下となるように先端部位５２におけるブラシ毛２５の高さを調整することが有利である。例えば角度θ１を２０度以上６０度以下、特に４０度以上５０度以下に設定すると、後述する図４に示す塗布態様の場合に奏される効果が更に一層顕著なものとなることから好ましい。
【００３３】
以上、本考案の構成を有する塗布具１０を用いて染毛剤を毛髪に塗布する方法を図３及び図４を参照しながら説明する。図３には、塗布具１０を用いて染毛剤を比較的広い面積の部位、例えば側頭部の毛髪に塗布する状態が示されている。側頭部や頭頂部等の比較的広い面積の部位に染毛剤を塗布する場合には、ブラシ部２６のうち、後端部位５１、すなわちブラシ毛２５の高さが揃っている部位に染毛剤を盛って、その部位で染毛剤を毛髪に塗布することが好ましい。こうすることによって、少ない塗布回数で広い面積の領域に染毛剤を薄く、かつ均一に塗布することができる。
【００３４】
一方、図４には、塗布具１０を用いて染毛剤を比較的狭い面積の部位、例えばもみあげの毛髪に塗布する状態が示されている。もみあげや生え際等の比較的狭い面積の部位に染毛剤を塗布する場合には、ブラシ部２６のうち、先端部位５２に染毛剤を盛って、その部位で染毛剤を毛髪に塗布することが好ましい。こうすることによって、狭い塗布部位であるにもかかわらず、染毛剤の意図しない付着を効果的に防止しつつ、少ない塗布回数で染毛剤を薄く、かつ均一に塗布することができる。このように、本実施形態の塗布具１０によれば、染毛剤を塗布する部位の面積の広狭に応じて、ブラシ部２６における使用部位、すなわち後端部位５１と先端部位５２とを分けることができる。そして、広い面積の部位を対象とするときは、後端部位５１を用い、少ない塗布回数で広い面積の領域に染毛剤を薄く、かつ均一に塗布することができる。その一方で、狭い面積の部位であっても、先端部位５２を用いることで、染毛剤が意図せず顔に付着することを抑制しつつ、極力少ない塗布回数で染毛剤を塗布することができる。更に、塗布具１０を持ち換えずに、先端部位５１と後端部位５２とを使用することができる。
【００３５】
前記と同様の理由によって、前記仮想線Ｌ１の長さＬ５２が１０ｍｍ以上となるように、先端部位５２におけるブラシ毛２５の高さを調整することが有利である。また長さＬ５２が２５ｍｍ以下、特に２０ｍｍ以下となるように、先端部位５２におけるブラシ毛２５の高さを調整することが有利である。例えば長さＬ５２を１０ｍｍ以上２５ｍｍ以下、特に１０ｍｍ以上２０ｍｍ以下に設定すると、後述する図４に示す塗布態様の場合に奏される効果が更に一層顕著なものとなることから好ましい。また、ブラシ毛２５の高さが一定の後端部位５１が位置するブラシ台部２０の第２辺部２２の延びる方向の長さＬ５１（図２参照）と、先端部位５２の長さＬ５２（仮想線Ｌ１の長さ）の比率であるＬ５１／Ｌ５２は、１以上、特に１．２以上が好ましく、２．５以下、特に２以下であることが操作の容易性の点で好ましい。例えば前記比率は１以上２．５以下であることが好ましく、１．２以上２以下であることが更に好ましい。
【００３６】
ブラシ毛２５それ自体の高さは、角度θ１及び前記仮想線Ｌ１の長さＬ５２が上述の範囲であることを条件として、後端部位５１において、１８ｍｍ以上、特に２０ｍｍ以上であることが好ましく、３０ｍｍ以下、特に２５ｍｍ以下であることが好ましい。例えば後端部位５１におけるブラシ毛２５の高さは、１８ｍｍ以上３０ｍｍ以下であることが好ましく、２０ｍｍ以上２５ｍｍ以下であることが更に好ましい。また、毛束列の延びる方向の長さは、２０ｍｍ以上、６０ｍｍ以下が好ましい。
【００３７】
一方、先端部位５２におけるブラシ毛２５の高さは、塗布具１０の最も先端側のブラシ毛２５の当該高さで表して、２ｍｍ以上、特に８ｍｍ以上であることが好ましく、１８ｍｍ以下、特に１２ｍｍ以下であることが好ましい。例えば先端部位５２における最も高さの低いブラシ毛２５の当該高さは、２ｍｍ以上１８ｍｍ以下であることが好ましく、８ｍｍ以上１２ｍｍ以下であることが更に好ましい。更に、本考案の効果を損なわない範囲で、毛束の先端が広がるのを防ぐために、毛束列２５Ａの角部を面取り構造としてもよい。
【００３８】
ブラシ台部２０の第１辺部２１と第２辺部２２とは平行になっていない。また、第２辺部２２は、長手方向Ｘに対して傾斜していることが好ましい。このことに起因して、後述するブラシ部２６それ自体も長手方向Ｘに対して傾斜している。そしてブラシ部２６それ自体が傾斜していることは、塗布具１０の塗布性の向上、特に、後述する図４に示す態様で先端部位５２による塗布を行う場合の塗布性の向上に寄与している。この観点から、図２に示すとおり、第２辺部２２を、該第２辺部２２の延長線Ｌ２と、塗布具１０の長手方向Ｘに平行であり、把持部３０の中心を通る仮想直線ＬＣとのなす角度θ２が５度以上、特に２０度以上となるように傾斜させて形成することが有利である。また第２辺部２２を、該第２辺部２２の延長線Ｌ２と仮想直線ＬＣとのなす角度θ２が３０度以下、特に２５度以下となるように傾斜させて形成することが有利である。例えば角度θ２が、５度以上３０度以下、特に２０度以上２５度以下となるように設定することが有利である。角度θ２をこの範囲に設定することは、容器内に収容された染毛剤をブラシ部２６に付着させるときに、該ブラシ部２６を容器内から引き上げるときの動作を行い易くし得るという点からも有利である。
【００３９】
本実施形態においてはブラシ部２６の先端部位５２の前記仮想線Ｌ１の傾斜角度θ１と、ブラシ台部２０における第２辺部２２の傾斜角度θ２とをバランスさせることで、先端部位５２による狭面積部位への染毛剤の塗布を行い易くしている。この観点から、角度θ１は角度θ２の１．５倍以上、特に２．５倍以上であることが好ましく、また８倍以下、特に３.５倍以下であることが更に好ましい。例えば角度θ１は角度θ２の１．５倍以上８倍以下、特に２．５倍以上３．５倍以下であることが好ましい。
【００４０】
前記と同様の理由によって、角度θ１及び角度θ２は、（θ１−θ２）／θ１の計算式から算出される値が０．２５以上、特に０．５以上であり、０．９１以下、特に０．９以下であることが好ましい。例えば（θ１−θ２）／θ１の値は０．２５〜０．９１であることが好ましく、更に好ましくは０．５〜０．９である。
【００４１】
ブラシ部２６と、櫛部２４との関係は、櫛歯列２３Ａの延びる方向の長さをＬ２３とし、毛束列２５Ｂの延びる方向の長さをＬ２５としたとき、Ｌ２３／Ｌ２５の値が１以上、特に１．２以上であることが好ましく、３以下、特に２以下、更に1.7以下であることが好ましい。例えばＬ２３／Ｌ２５の値は１以上３以下、特に１．２以上２以下、更に１．２以上１．７以下であることが好ましい。Ｌ２３／Ｌ２５の値をこの範囲内に設定することで、ブラシ部２６によって毛髪に塗布した染毛剤を、櫛部２６によって毛髪全体に広げるときに、染毛剤の塗布幅に概ね合わせた幅で、櫛部２６によって毛髪を梳くことができるという利点がある。
【００４２】
本考案の塗布具によって毛髪に塗布される染毛剤は、最も広義に解釈されるものであり、脱色剤及び染毛剤の双方を包含する。脱色剤及び染毛剤の剤型は、毛髪への塗布のし易さの点から流動性を有するものが好ましく、ジェル状、ゲル状、クリーム状、ペースト状等の粘稠なものでも、液状のものでもよい。また、ムース状やエアゾール形態等、泡状とすることもできる。
毛髪に適用する段階（二剤型又は三剤型の場合は混合後）における粘度は、１００ｍＰａ・ｓ以上１００，０００ｍＰａ・ｓ以下であることが好ましい。また、泡状で吐出する場合には、染毛剤の粘度は、１０ｍＰａ・ｓ以上１０，０００ｍＰａ・ｓ以下であることが好ましい。粘度は、ブルックフィールド回転粘度計（Ｎｏ．５スピンドル、５ｒｐｍ）を用いて２０℃で測定した値である。
【００４３】
また、適用する脱色剤又は染毛剤は、一剤式のもの、酸化染料中間体などの染料、アルカリ剤等を配合した第１剤と酸化水素などの酸化剤等を配合した第２剤とからなる二剤式のもの、またこれら二剤に加え、過硫酸塩等の酸化促進剤を配合した粉末状の第３剤とからなる三剤式など、用時に混合される複数の剤を含んで構成されるものを適用できる。染毛剤は、永久染毛剤、半永久染毛剤を含むものである。
【００４４】
以上、本考案をその好ましい実施形態に基づき説明したが、本考案は前記実施形態に制限されない。例えば前記実施形態においては、ブラシ台部２０の第２辺部２２が、塗布具１０の長手方向Ｘに対して傾斜していたが、これに代えて、第２辺部２２を長手方向Ｘと平行に形成してもよい。
【００４５】
また前記実施形態においては、把持部３０の後端側にスライス部４０を延出させたが、塗布具１０の具体的な用途によってはスライス部４０を設けなくてもよい。
【符号の説明】
【００４６】
１０  染毛剤塗布具
２０  ブラシ台部
２１  第１辺部
２２  第２辺部
２３  櫛歯
２３Ａ  櫛歯列
２４  櫛部
２５  ブラシ毛
２５Ａ  毛束
２５Ｂ  毛束列
３０  把持部
３１  把持部第１辺部
３２  把持部第２辺部
３３  くびれ部
３４  第１滑り止め部
３５  第２滑り止め部
４０  スライス部
５１  後端部位
５２  先端部位
【図１】
0003189069.tif 000003
【図２】
0003189069.tif 000004
【図３】
0003189069.tif 000005
【図４】
0003189069.tif 000006